(57)【要約】【課題】余分なブーツを用意したり別体の補強部材を使用したりすることなく、ブーツ特性（フィット感や剛性）を容易に且つ自在に調節することのできるソフトタイプのスノーボード用ブーツを提供する。【解決手段】足の甲から足首にかけて、ソフトタイプのシェルの左右のウイング部の前方に複数の第一紐掛け部が対向配置され、第一紐掛け部に掛け渡された紐を締付けることによって足をシェル内に固定するソフトタイプのスノーボード用ブーツにおいて、略帯状の押圧シートは、その略中央に設けられて足首を押圧する押圧部と、押圧部の両端から前方に向けて延在する左右のフラップ部とを有し、少なくとも、押圧部は、足首を囲繞するようにシェルの左ウイング部の側壁からシェルの右ウイング部の側壁にかけて湾曲状態でシェルに固着され、左右のフラップ部には、それぞれ、少なくとも一つの第二紐掛け部が設けられている。【選択図】　図１
2004121284.tif 000002
【特許請求の範囲】
【請求項１】
足の甲から足首にかけて、ソフトタイプのシェルの左右のウイング部の前方に複数の第一紐掛け部が対向配置され、該第一紐掛け部に掛け渡された紐を締付けることによって足をシェル内に固定するソフトタイプのスノーボード用ブーツにおいて、
略帯状の押圧シートは、その略中央に設けられて足首を押圧する押圧部と、該押圧部の両端から前方に向けて延在する左右のフラップ部とを有し、
少なくとも、前記押圧部は、足首を囲繞するようにシェルの左ウイング部の側壁からシェルの右ウイング部の側壁にかけて湾曲状態でシェルに固着され、
前記左右のフラップ部には、それぞれ、少なくとも一つの第二紐掛け部が設けられていることを特徴とするスノーボード用ブーツ。
【請求項２】
前記押圧シートは、適度の剛性を有することを特徴とする、請求項１記載のスノーボード用ブーツ。
【請求項３】
前記押圧シートがシェルの外側に固着されていることを特徴とする、請求項１記載のスノーボード用ブーツ。
【請求項４】
前記押圧シートがシェルの内側に固着されており、
押圧シートの左右のフラップ部は、それぞれ、シェルの側壁に形成されたスリットを通って外側に出て、第二紐掛け部と接続されていることを特徴とする、請求項１記載のスノーボード用ブーツ。
【請求項５】
前記フラップ部は、横方向に延在する切欠によってさらに複数のフラップ部に分割されていることを特徴とする、請求項１記載のスノーボード用ブーツ。
【請求項６】
足の甲から足首にかけて、ソフトタイプのシェルの左右のウイング部の前方に複数の第一紐掛け部が対向配置され、該第一紐掛け部に掛け渡された紐を締付けることによって足をシェル内に固定するソフトタイプのスノーボード用ブーツにおいて、
少なくとも一つの第二紐掛け部が、それぞれ、左右のウイング部における、足首の第一紐掛け部より後方部分に対して固着されていることを特徴とするスノーボード用ブーツ。
【発明の詳細な説明】
【０００１】
【発明の属する技術分野】
本発明は、スノーボード用ブーツに関し、詳細には、柔軟な素材からなるソフトタイプのスノーボード用ブーツに関する。
【０００２】
【従来の技術】
スノーボード用ブーツには、硬質で剛性の高い素材から構成されたハードタイプのものと、柔軟な素材から構成されたソフトタイプのものとがあるが、本発明はソフトタイプのものに関する。ソフトタイプのブーツは、フリースタイル系滑走に使用され、プレイヤーの微妙な体重移動をスノーボードに伝えることができるように、本皮や合成皮やナイロン繊維等の柔軟な素材から構成されている。
【０００３】
ソフトタイプのブーツが使用されるフリースタイル系滑走には、半円筒形コースの中を滑走しながら次々にトリックを決めていくハーフパイプや、一回のジャンプで一回技を決めるワンメイク等の様々な滑走種目がある。それらの種目においては、それぞれ、必要とされるブーツ特性（フィット感や剛性）が異なっている。また、同じ種目であっても、プレイヤーの技術レベルや好みに応じて、異なったブーツ特性が要求されている。
【０００４】
これまでは、所望のブーツ特性を得るために、以下のようなことが行われている。
【０００５】
すなわち、例えば、プレイヤーがフィット感や剛性の異なった複数のソフトタイプのブーツを用意して、滑走種目毎にあるいはプレイヤーの好みや脚力に応じて最適なブーツを選択して着用することが行われている。しかしながら、この場合、プレイヤーが複数のソフトタイプのブーツを予め用意し且つそれらを持ち歩かなければならないために、プレイヤーに対して経済的及び肉体的に多大な負担を強いているという問題がある。
【０００６】
また、ソフトタイプのブーツのシェルに複数の収納ポケットを形成し、その各収納ポケット内に別体の補強スティックを必要な数だけ適宜脱着させることによって、フィット感や剛性を調節するブーツが提案されている（例えば、非特許文献１参照。）。しかしながら、この場合、補強スティックを脱着する際に補強スティックを紛失してしまう恐れがあることや、補強スティックを常時携帯しなければならないこと等の問題がある。
【０００７】
【非特許文献１】
「トランスワールドスノーボーディングマガジン９月号増刊」、ＳＮＯＷｂｏａｒｄｅｒ’ｓ　ＢＩＢＬＥ　２００２−０２、トランスワールドジャパン発行、平成１３年９月１日、１１１頁
【０００８】
【発明が解決しようとする課題】
したがって、本発明の解決すべき技術的課題は、余分なブーツを用意したり別体の補強部材を使用したりすることなく、ブーツ特性（フィット感や剛性）を容易に且つ自在に調節することのできるソフトタイプのスノーボード用ブーツを提供することである。
【０００９】
【課題を解決するための手段及びその作用と効果】
上述の技術的課題を解決するために、本発明に係るスノーボード用ブーツは、以下の特徴を有する。
【００１０】
すなわち、足の甲から足首にかけて、ソフトタイプのシェルの左右のウイング部の前方に複数の第一紐掛け部が対向配置され、該第一紐掛け部に掛け渡された紐を締付けることによって足をシェル内に固定するソフトタイプのスノーボード用ブーツにおいて、略帯状の押圧シートは、その略中央に設けられて足首を押圧する押圧部と、該押圧部の両端から前方に向けて延在する左右のフラップ部とを有し、少なくとも、前記押圧部は、足首を囲繞するようにシェルの左ウイング部の側壁からシェルの右ウイング部の側壁にかけて湾曲状態でシェルに固着され、前記左右のフラップ部には、それぞれ、少なくとも一つの第二紐掛け部が設けられていることを特徴とする。
【００１１】
上記構成によれば、紐を第一紐掛け部に掛け渡して紐を締付けた場合には、左右のウイング部が全体的に前方に引張られるために、足首を囲んで足首を押圧する押圧部すなわち足首押圧領域が大きくなる。したがって、ある大きさの力で引張った場合での足首に対する押圧力が小さくなるので、弱めのフィット感となる。これに対して、左右のフラップ部に設けられた第二紐掛け部に紐を掛け渡して紐を締付けた場合には、シェルに固着された押圧部及びその周辺の左右のウイング部が局所的に前方に引張られるために、実質的な足首押圧領域が小さくなる。その結果、ある大きさの力で引張った場合での足首に対する押圧力が大きくなるので、強めのフィット感が得られる。したがって、上記構成によれば、ソフトタイプのスノーボード用ブーツにおいて、紐を掛け渡す位置を変えるという極めて簡単な操作によって、ブーツのフィット感を調節することができる。また、押圧シートの形状を変化させることによって、フィット感を与えたい場所や強さを適宜変化させることができるので、ブーツ特性の調節の自由度が向上する。
【００１２】
ソフトタイプのスノーボード用ブーツのシェルに剛性を与えるために、一般に、芯材がシェルに張り付けられている。シェルが芯材を有していたとしても、プレイヤーは、ブーツの剛性が不足していると感じる場合がある。
【００１３】
押圧シートとしては、柔軟な布地等の様々な素材を使用することができるが、プレイヤーが所望する剛性をシェルに与えるような適度の剛性を有する薄いプラスチックシート等が好ましい。したがって、押圧シートが適度の剛性を有することによって、紐を第一又は第二の紐掛け部に掛け渡して紐を締付けた場合に、シェルに適度の剛性を与えることができる。
【００１４】
押圧シートは、足首を囲繞するようにシェルの様々な場所に固着されうるが、装着を容易にして製造しやすくするために、押圧シートがシェルの外側に固着されることが好ましい。
【００１５】
好ましくは、押圧シートがシェルの内側に固着されており、押圧シートの左右のフラップ部は、それぞれ、シェルの側壁に形成されたスリットを通って外側に出て、第二紐掛け部と接続されている。
【００１６】
上記構成によれば、押圧シートがプレイヤーの足により近い内側位置に設けられているので、押圧シートによるフィット感や剛性をプレイヤーの足に対してより直接的に伝えることができる。また、押圧シートがブーツの内側に隠れているので、ブーツの外観を様々に変化させてブーツの意匠性を高めることができる。
【００１７】
好ましくは、フラップ部は、横方向に延在する切欠によってさらに複数のフラップ部に分割されている。
【００１８】
上記構成によれば、切欠で横方向に分割された複数の小フラップ部の中から、選択された小フラップ部に対して紐を掛け渡すことによって、フィット感や剛性を付与したい場所や強さをより細かく変化させることができるので、ブーツ特性の調節の自由度がさらに向上する。
【００１９】
足の甲から足首にかけて、ソフトタイプのシェルの左右のウイング部の前方に複数の第一紐掛け部が対向配置され、該第一紐掛け部に掛け渡された紐を締付けることによって足をシェル内に固定するソフトタイプのスノーボード用ブーツにおいて、少なくとも一つの第二紐掛け部が、それぞれ、左右のウイング部における、足首の第一紐掛け部より後方部分に対して固着されている。
【００２０】
上記構成によれば、紐を第一紐掛け部に掛け渡して紐を締付けた場合には、左右のウイング部が全体的に前方に引張られるために、足首を押圧する足首押圧領域は左右のウイング部となり、足首押圧領域が広い。その結果、ある大きさの力で引張った場合での足首に対する押圧力が小さくなるので、弱めのブーツ特性（フィット感や剛性）が得られる。これに対して、左右のウイング部における、足首の第一紐掛け部より後方部分に対して固着された第二紐掛け部に紐を掛け渡して紐を締付けた場合には、第二紐掛け部より後方の左右のウイング部が前方に引張られるために、足首押圧領域が狭くなる。その結果、ある大きさの力で引張った場合での足首に対する押圧力が大きくなるので、強めのブーツ特性（フィット感や剛性）が得られる。したがって、上記構成によれば、ソフトタイプのスノーボード用ブーツにおいて、紐を掛け渡す位置を変えるという極めて簡単な操作によって、ブーツ特性（フィット感や剛性）を調節することができる。
【００２１】
【発明の実施の形態】
以下に、本発明に係る第一実施形態について、図１〜３を参照しながら詳細に説明する。
【００２２】
図１は、本発明の第一実施形態に係るスノーボード用ブーツ１の外観を示す側面図である。図２は、図１に示したスノーボード用ブーツ１の要部を外側から見た図である。図３は、図２に示したブーツ１の要部を内側から見た図である。
【００２３】
図１に示すように、ソフトタイプのスノーボード用ブーツ１は、アウターブーツ２０とその内部に装着されるインナーブーツ１０とを備えている。ソフトタイプのアウターブーツ２０のシェル２２は、本皮や合成皮やナイロン繊維等の柔軟な素材から構成されている。インナーブーツ１０はプレイヤーの足に適合した可撓性のある発泡ラバー等で成形された構成をしている。
【００２４】
アウターブーツ２０のシェル２２は、その前方において、左右のウイング部２３を有している。左右のウイング部２３は、足の甲から足首そして脹脛にかけて延在して、前端部同士が対向し且つ間隔のあいた状態でシェルの底部に固着されている。左右のウイング部２３の前端部には、それぞれ、一列に整列した複数の第一紐掛け部２４，２６が固着されており、各第一紐掛け部２４，２６は対向している。すなわち、図１に示したブーツ１の左側のウイング部２３においては、足の甲部分の第一紐掛け部としては、紐３を挿通するための５つのループ２４が配置されており、足首の第一紐掛け部としては、紐３を引掛けるための３つのフック２６が配置されている。同様に、ブーツ１の右側のウイング部２３においても、左側のウイング部２３と対称的であるように、５つのループ２４及び３つのフック２６が配置されている。
【００２５】
上から二番目のフック２６より少し後方の位置すなわち足の脹脛側の位置には、第二紐掛け部としての側方ループ４０が配置されている。側方ループ４０には紐３が挿通される。
【００２６】
略帯状の押圧シート３０は、押圧部３１と、左右のフラップ部３２とを有している。押圧部３１は、押圧シート３０の略中央に設けられて足首を押圧する部分である。左右のフラップ部３２は、それぞれ、押圧部３１の両端から前方に向けて延在している。側方ループ４０が左右のフラップ部３２に対して取り付けられている。
【００２７】
図２に示すように、側方ループ４０は、シェル２２の側壁に形成されたスリット２８を通って外側に出ている。図３に示すように、側方ループ４０は、押圧シート３０のフラップ部３２に対して縫着又は接着等の方法で接続されている。
【００２８】
略帯状の押圧シート３０は、本皮や合成皮や布地等の柔軟な素材から構成することもできるが、適度の剛性を備えた、ポリウレタン等の薄いプラスチックシートから構成されている。押圧シート３０の押圧部３１は、プレイヤーの足首を囲繞するように、左ウイング部２３の側壁から背面壁部分（足の脹脛に対応する部分）を経て右ウイング部２３の側壁にかけて湾曲状態でシェル２２の内壁に固着されている。
【００２９】
押圧シート３０から、略コの字状の切欠３４を切り取ったり打抜いたりすることで、フラップ部３２が形成されている。押圧部３１の外周縁は、シェル２２の内壁に対して縫着又は接着等の方法で固着されているが、左右のフラップ部３２は、シェル２２の内壁に対して縫着又は接着等の方法で固着されていない。したがって、左右のフラップ部３２はシェル２２に対して独立して遊動する。なお、図３に示すように、切欠３４によって形成されたフラップ部３２の周囲部分をシェル２２の内壁に固着することによって、シェル２２のウイング部２３の前部に剛性を与えることができる。
【００３０】
図２において、紐３を側方ループ４０に掛け渡して紐３を締付けることによって、側方ループ４０が右方向に引張られるが、その引張力はフラップ部３２に加えられる。そのあと、引張力は、フラップ部３２の後方（図３では左側）に位置する押圧部３１に加えられた上で、プレイヤーの足首に加えられる。したがって、押圧部３１及びその周辺のシェル部分が、足首に密着して足首を押圧する足首押圧領域となる。
【００３１】
これに対して、第一紐掛け部としてのフック２６が図３の右方向に引張られる場合では、シェル２２のウイング部２３における、フック２６より後方（図３では左側）の部分、すなわちシェル２２の大略全体が、足首を押圧する足首押圧領域となる。そして、そのときの足首押圧領域は、シェル２２の大略全体部分であるので、側方ループ４０を引張る場合よりも足首押圧領域が広くなっている。
【００３２】
その結果、ある大きさの力で引張った場合、足首押圧領域が狭いほど、足首に対する押圧力が大きくなる。したがって、紐３を側方ループ４０に掛け渡したあと紐３を締付けることによって側方ループ４０が図３の右方向に引張られる場合では、強めのブーツ特性（フィット感や剛性）が得られる。逆に、紐３を上から二番目のフック２６に掛け渡したあと紐３を締付けることによってフック２６が図３の右方向に引張られる場合では、弱めのブーツ特性（フィット感や剛性）となる。このように、紐３を側方ループ４０又は上から二番目のフック２６のいずれかの紐掛け部に掛け渡すことによって、ブーツ特性（フィット感や剛性）の強弱を与えることができる。
【００３３】
また、押圧シート３０が足により近い内側位置にあるので、押圧シート３０によるフィット感や剛性をより直接的にプレイヤーの足に伝えることができる。また、押圧シート３０がブーツ１の内側に隠れているので、ブーツ１の外観を様々に変化させてブーツ１の意匠性を高めることができる。
【００３４】
次に、本発明に係る第二実施形態について、図４及び５を参照しながら説明する。なお、ソフトタイプのスノーボード用ブーツ１の基本構成に関しては、第一実施形態で説明したものと同じであるためにその説明を省略するが、第一実施形態と異なっているところを中心に説明する。
【００３５】
図４は、本発明の第二実施形態に係るスノーボード用ブーツ１の要部を外側から見た図である。図５は、図４に示したブーツ１の要部を内側から見た図である。
【００３６】
上から一番目、二番目及び三番目のフック２６より少し後方の位置すなわち足の脹脛側の位置には、第二紐掛け部としての側方上フック４２ａ、側方中フック４２ｂ及び側方下フック４２ｃがそれぞれ配置されている。
【００３７】
図５に示すように、側方上フック４２ａ、側方中フック４２ｂ及び側方下フック４２ｃは、シェル２２の側壁に形成された上スリット２８ａ、中スリット２８ｂ及び下スリット２８ｃのそれぞれを通って外側に露出している。図５に示すように、側方上フック４２ａ、側方中フック４２ｂ及び側方下フック４２ｃは、押圧シート３０の上フラップ部３２ａ、中フラップ部３２ｂ及び下フラップ部３２ｃに対して挟着又は接着等の方法で固着されている。押圧シート３０は、プラスチックの薄い略帯状体から構成されているので、適度の剛性を有している。
【００３８】
押圧シート３０には、略コの字状の切欠３４及び横方向に延在する二箇所の切欠３６を切り取ったり打抜いたりすることで、上フラップ部３２ａ、中フラップ部３２ｂ及び下フラップ部３２ｃの三つの小フラップ部が形成されている。押圧部３１の外周縁は、シェル２２の足首の内側に対して縫着又は接着等の方法で固着されている。上フラップ部３２ａ、中フラップ部３２ｂ及び下フラップ部３２ｃのそれぞれは、シェル２２の足首の内側に対して固着されていない。したがって、上フラップ部３２ａ、中フラップ部３２ｂ及び下フラップ部３２ｃは、いずれも、シェル２２に対して独立して遊動する。
【００３９】
第一実施形態と同様に、押圧部３１及びその周辺のシェル部分は、足首に密着して足首を押圧する足首押圧領域となる。そして、側方上フック４２ａ、側方中フック４２ｂ及び側方下フック４２ｃ、又は各側方フック４２ａ，４２ｂ，４２ｃの近傍に設けられた各フック２６のいずれかの紐掛け部に紐３を掛け渡すことによって、ブーツ特性（フィット感や剛性）に強弱を与えることができる。
【００４０】
図４及び５に示した構成では、フラップ部が、上フラップ部３２ａ、中フラップ部３２ｂ及び下フラップ部３２ｃの三つに分割されている。例えば、上方のブーツ特性（フィット感や剛性）だけを強くしたい場合には、側方上フック４２ａと二番目のフック２６と三番目のフック２６とに紐３を掛け渡して紐３を締付ければよい。また、下方のブーツ特性（フィット感や剛性）だけを強くしたい場合には、一番目のフック２６と二番目のフック２６と側方下フック４２ｃとに紐３を掛け渡して紐３を締付ければよい。このように、紐３の掛け渡す位置を組合せることによって、ブーツ特性（フィット感や剛性）の強弱を局所的に与えることができる。したがって、図４及び５に示した構成では、ブーツ特性（フィット感や剛性）を８通りに変化させることができる。
【００４１】
本発明に係る第三実施形態について、図６を参照しながら説明する。なお、第二実施形態と同様に、第三実施形態についても、その特徴部分を中心に説明する。
【００４２】
図６は、本発明の第三実施形態に係るスノーボード用ブーツ１の要部を外側から見た図である。
【００４３】
上から二番目のフック２６より少し後方の位置すなわち足の脹脛側の位置には、第二紐掛け部としての側方フック４２が配置されている。側方フック４２には紐３が引掛けられる。
【００４４】
図６に示した薄い略帯状の押圧シート３０は、ポリウレタン等のプラスチックから構成され、適度の剛性を備えている。押圧シート３０は、その略中央に設けられて足首を押圧する押圧部３１と、押圧部３１の両端から前方に向けて延在して側方ループ４０が取り付けられる左右のフラップ部３２とを有している。押圧部３１の外周縁は、シェル２２の外表面上に縫着又は接着等の方法で固着されている。フラップ部３２は、シェル２２に対して、固着あるいはフリーのいずれであってもよい。側方フック４２は、シェル２２に固定された又はフリーであるフラップ部３２に対して、挟着又は接着等の方法で固着されている。
【００４５】
押圧部３１（及びフラップ部３２）とその周辺のシェル部分とが、実質的に足首押圧領域となる。そして、第一紐掛け部としての上から二番目のフック２６又は第二紐掛け部としての側方フック４２のいずれかの紐掛け部に紐３を掛け渡すことによって、ブーツ特性（フィット感や剛性）に強弱を与えることができる。なお、この場合には、シェル２２への押圧シート３０の固着が容易であるので、ブーツ１の製造コストを削減することができる。
【００４６】
本発明に係る第四実施形態について、図７を参照しながら説明する。なお、上述した実施形態と同様に、第四実施形態についても、その特徴部分を中心に説明する。
【００４７】
図７は、本発明の第四実施形態に係るスノーボード用ブーツ１の要部を外側から見た図である。
【００４８】
押圧シート３０は、第三実施形態と同様に、ポリウレタン等のプラスチックからなる薄い略帯状体から構成されている。図７に示すように、押圧部３１の外周縁がシェル２２の外表面上に縫着又は接着等の方法で固定されている。押圧シート３０の先端部は、横方向に延在する二つの切欠３６によって、上フラップ部３２ａ，中フラップ部３２ｂ及び下フラップ部３２ｃの三つの小フラップ部に分割されている。なお、上フラップ部３２ａ，中フラップ部３２ｂ及び下フラップ部３２ｃは、シェル２２に対して固定あるいはフリーのいずれであってもよい。側方上フック４２ａ、側方中フック４２ｂ及び側方下フック４２ｃは、上フラップ部３２ａ，中フラップ部３２ｂ及び下フラップ部３２ｃに対して、それぞれ、挟着又は接着等の方法で固着されている。
【００４９】
各フック２６より少し後方の位置すなわち足の脹脛側の位置には、側方上フック４２ａ、側方中フック４２ｂ及び側方下フック４２ｃが配置されている。各フック２６や、側方上フック４２ａ、側方中フック４２ｂ及び側方下フック４２ｃに対して、紐３が引掛けられる。
【００５０】
上フラップ部３２ａ，中フラップ部３２ｂ及び下フラップ部３２ｃが固着されていない場合、押圧部３１及びその周辺のシェル部分が、足首を押圧する足首押圧領域となる。また、上フラップ部３２ａ，中フラップ部３２ｂ及び下フラップ部３２ｃが固着されている場合、各フラップ部３２ａ，３２ｂ，３２ｃの固着部分、押圧部３１及びその周辺のシェル部分が、足首を押圧する足首押圧領域となる。そして、第一紐掛け部としての各フック２６又は、第二紐掛け部としての側方上フック４２ａ、側方中フック４２ｂ及び側方下フック４２ｃのいずれかの紐掛け部に紐３を掛け渡すことによって、ブーツ特性（フィット感や剛性）に強弱を与えることができる。なお、この場合には、ブーツ特性（フィット感や剛性）を８通りに変化させることができるとともに、シェル２２への押圧シート３０の固着が容易であるので、ブーツ１の製造コストを削減することができる。
【００５１】
本発明に係る第五及び第六の実施形態について、それぞれ、図８及び９を参照しながら説明する。なお、上述した各実施形態と同様に、第五及び第六の実施形態についても、それぞれ、その特徴部分を中心に説明する。
【００５２】
図８は、本発明の第五実施形態に係るスノーボード用ブーツ１の要部を外側から見た図である。また、図９は、本発明の第六実施形態に係るスノーボード用ブーツ１の要部を外側から見た図である。
【００５３】
図８に示したブーツ１では、上から二番目のフック２６より少し後方の位置すなわち足の脹脛側の位置には、側方フック４２が配置されている。側方フック４２は、シェル２２に対して挟着又は接着等の方法で固着されている。また、図９に示したブーツ１では、各フック２６より少し後方の位置すなわち足の脹脛側の位置には、側方上フック４２ａ、側方中フック４２ｂ及び側方下フック４２ｃが配置されている。側方上フック４２ａ、側方中フック４２ｂ及び側方下フック４２ｃは、シェル２２に対して挟着又は接着等の方法で固着されている。そして、各フック２６や、側方フック４２や、側方上フック４２ａ、側方中フック４２ｂ及び側方下フック４２ｃに対しては、紐３が引掛けられる。
【００５４】
側方フック４２や、側方上フック４２ａ、側方中フック４２ｂ及び側方下フック４２ｃの固着部分より後方（図８及び９では右側）に位置するシェル２２のウイング部２３が、それぞれ、実質的に、足首押圧領域となる。そして、第一紐掛け部としての各フック２６又は第二紐掛け部としての側方フック４２や側方上フック４２ａ、側方中フック４２ｂ及び側方下フック４２ｃのいずれかの紐掛け部に紐３を掛け渡すことによって、ブーツ特性（フィット感や剛性）に強弱を与えることができる。なお、図８及び９の場合には、それぞれ、ブーツ特性（フィット感や剛性）を、２通り及び８通りに変化させることができる。また、図８及び９のいずれの場合も、シェル２２への側方フック４２や側方上フック４２ａ、側方中フック４２ｂ及び側方下フック４２ｃの固着だけでよいので、ブーツ１の製造コストを削減することができる。
【００５５】
なお、上述した実施形態においては、いずれも、一つ又は縦方向に一列の第二紐掛け部４０，４２，４２ａ，４２ｂ，４２ｃが第一紐掛け部２６の後方に配置された構成である。しかしながら、複数の又は縦方向に複数列の第二紐掛け部４０，４２，４２ａ，４２ｂ，４２ｃが、第一紐掛け部２６より後方の位置に配置された構成とすることもできる。また、第一紐掛け部又は第二紐掛け部としては、紐３を掛止することのできるループやフックや貫通穴等の各種鳩目が使用可能である。さらに、押圧シート３０の形状や厚みや材質を変化させることによって、フィット感や剛性を付与したい場所やその強さを適宜変化させることができる。また、フラップ部３２に設けられた第二紐掛け部４０は、必ずしも第一紐掛け部２６の後方に位置している必要はなく、フラップ部３２を前方に延在させて、第一紐掛け部２６の近傍にあるいは第一紐掛け部２６を越えたところに位置するようにしてもよい。
【図面の簡単な説明】
【図１】本発明の第一実施形態に係るスノーボード用ブーツの側面図である。
【図２】図１に示したスノーボード用ブーツの要部を外側から見た図である。
【図３】図２に示したブーツの要部を内側から見た図である。
【図４】本発明の第二実施形態に係るスノーボード用ブーツの要部を外側から見た図である。
【図５】図４に示したブーツの要部を内側から見た図である。
【図６】本発明の第三実施形態に係るスノーボード用ブーツの要部を外側から見た図である。
【図７】本発明の第四実施形態に係るスノーボード用ブーツの要部を外側から見た図である。
【図８】本発明の第五実施形態に係るスノーボード用ブーツの要部を外側から見た図である。
【図９】本発明の第六実施形態に係るスノーボード用ブーツの要部を外側から見た図である。
【符号の説明】
１　スノーボード用ブーツ
３　紐
１０　インナーブーツ
２０　アウターブーツ
２２　シェル
２３　ウイング部
２４　ループ（第一紐掛け部）
２６　フック（第一紐掛け部）
２８　スリット
２８ａ　上スリット
２８ｂ　中スリット
２８ｃ　下スリット
３０　押圧シート
３１　押圧部
３２　フラップ部
３２ａ　上フラップ部
３２ｂ　中フラップ部
３２ａ　下フラップ部
３４　切欠
３６　切欠
４０　側方ループ（第二紐掛け部）
４２　側方フック（第二紐掛け部）
４２ａ　側方上フック（第二紐掛け部）
４２ｂ　側方中フック（第二紐掛け部）
４２ｃ　側方下フック（第二紐掛け部）
【図１】
2004121284.tif 000003
【図２】
2004121284.tif 000004
【図３】
2004121284.tif 000005
【図４】
2004121284.tif 000006
【図５】
2004121284.tif 000007
【図６】
2004121284.tif 000008
【図７】
2004121284.tif 000009
【図８】
2004121284.tif 000010
【図９】
2004121284.tif 000011